(57)【特許請求の範囲】
【請求項１】
筐体と、
ディスクを駆動し再生する再生ユニットが搭載され、前記筐体に対し挿脱自在な可動体と、
前記筐体又は前記可動体のいずれかに設けられたロックピンと、
前記可動体が前記筐体内に挿入されたとき、前記可動体が前記筐体内に保持されるよう前記ロックピンと係合するロック位置に移動可能なロックレバーと、
前記ロックレバーを前記ロック位置に定位させる力を発生させる吸着手段と、
前記吸着手段の吸着力に抗しつつ前記ロックレバーを前記ロック位置から移動させロックを解除する力を発生させる解除手段と
を具備することを特徴とするディスク装置。
【請求項２】
筐体と、
ディスクを駆動し再生する再生ユニットが搭載され、前記筐体に対し挿脱自在な可動体と、
前記筐体又は前記可動体のいずれかに設けられたロックピンと、
前記可動体が前記筐体内に挿入されたとき、前記可動体が前記筐体内に保持されるよう前記ロックピンと係合するロック位置に移動可能なロックレバーと、
前記可動体の前記筐体内への挿入動作により、前記ロックピンを介して動作させられるリセットレバーと、
前記挿入動作により前記リセットレバーが動作させられたとき、該リセットレバーに押圧されて移動し、前記ロックレバーを前記ロック位置に移動させる連結レバーと、
前記ロックレバーを、前記連結レバーを通じて前記ロック位置に定位させる力を発生させる吸着手段と、
前記吸着手段の吸着力に抗しつつ前記ロックレバーを前記ロック位置から移動させロックを解除する力を発生させる解除手段と
を具備することを特徴とするディスク装置。
【請求項３】
請求項２記載のディスク装置において、
前記連結レバーは、前記リセットレバーにより押圧される部分に、該リセットレバーを弾性的に支持する弾性支持部を有することを特徴とするディスク装置。
【発明の詳細な説明】
【０００１】
【発明の属する技術分野】
本発明は、ＣＤ−ＲＯＭ、又はＤＶＤ−ＲＯＭ等の光ディスクを再生するディスク装置に関する。
【０００２】
【従来の技術】
従来、ノート型パソコン対応のディスクドライブにおいては、図５に示すように、ディスクを駆動及び再生するためのディスク駆動・再生機構が搭載されたドロワ５１と呼ばれる可動体と、このドロワ５１を収納可能な筐体であるキャビネット５２とからなる薄型構造のディスクドライブがある。
【０００３】
このようなディスクドライブには、ドロワ５１の排出方向における先端部５３にイジェクトロック機構が設けられており、例えば前面に設けられたイジェクトボタン５４を押すことにより、ドロワ５１がキャビネット５２から排出され、一方排出されたドロワ５１をユーザが手動により押してキャビネット５２内に挿入すると、キャビネット５２内にドロワ５１が収納された状態を保持できるといったものである。
【０００４】
このイジェクトロック機構は、一般に、ドロワ５１にロックレバーを備えており、ドロワ５１がキャビネット５２内に挿入されたときに、キャビネット５１に設けられた係合部とロックレバーとが係合してロックし、キャビネット５２内にドロワ５１が保持される。一方、ドロワ５１のイジェクト時には、ドロワ５１に設けられたモータ又はソレノイド等を利用して電気的にロックレバーのロックを解除しドロワ５１をキャビネット５２内から排出させるようにしていた。
【０００５】
【発明が解決しようとする課題】
しかしながら、このようなディスクドライブのイジェクトロック機構において、駆動の際のＯＮ／ＯＦＦの検出スイッチ等が必要となり部品点数の増えるモータ、及び比較的大型サイズになるとともに電流を多く消費する通電吸着タイプのソレノイドを、このような薄型のディスクドライブのイジェクトロック機構に用いることは不向きであった。
【０００６】
また、イジェクトロック機構を自己吸着型のソレノイドを用いて構成した場合、可動片をソレノイド本体に確実に吸着させる動作が必要となるため、可動片がソレノイド本体と当接してもなおソレノイド本体側に移動するよう設計的に可動片の移動軌跡にオーバーストロークをもたせることが一般的であるが、この際のレバー類の拘束力を吸収する構造が複雑なものとなっていた。
【０００７】
さらに、ディスクドライブが薄型であることからイジェクトロック機構を構成する部品のレイアウトが難しく、キャビネット５２内からドロワ５１が排出されるストーロークを多くとらないと、再び、ドロワ５１をキャビネット５２内へ挿入した時に再ロックが掛からないという問題や、全般的にイジェクトロック機構を構成する部品点数が多くなってしまうという問題があった。
【０００８】
本発明はこのような課題を解決するためになされたものであり、比較的部品点数の少ない簡易的な構成で、利便性の高いイジェクトロック機構を実現したディスク装置を提供しようとするものである。
【０００９】
【課題を解決するための手段】
上記目的を達成するために、本発明のディスク装置は、請求項１に記載されているように、筐体と、ディスクを駆動し再生する再生ユニットが搭載され、前記筐体に対し挿脱自在な可動体と、前記筐体又は前記可動体のいずれかに設けられたロックピンと、前記可動体が前記筐体内に挿入されたとき、前記可動体が前記筐体内に保持されるよう前記ロックピンと係合するロック位置に移動可能なロックレバーと、前記ロックレバーを前記ロック位置に定位させる力を発生させる吸着手段と、前記吸着手段の吸着力に抗しつつ前記ロックレバーを前記ロック位置から移動させロックを解除する力を発生させる解除手段とを具備することを特徴とする。
【００１０】
また、本発明のディスク装置は、請求項２に記載されているように、筐体と、ディスクを駆動し再生する再生ユニットが搭載され、前記筐体に対し挿脱自在な可動体と、前記筐体又は前記可動体のいずれかに設けられたロックピンと、前記可動体が前記筐体内に挿入されたとき、前記可動体が前記筐体内に保持されるよう前記ロックピンと係合するロック位置に移動可能なロックレバーと、前記可動体の前記筐体内への挿入動作により、前記ロックピンを介して動作させられるリセットレバーと、前記挿入動作により前記リセットレバーが動作させられたとき、該リセットレバーに押圧されて移動し、前記ロックレバーを前記ロック位置に移動させる連結レバーと、前記ロックレバーを、前記連結レバーを通じて前記ロック位置に定位させる力を発生させる吸着手段と、前記吸着手段の吸着力に抗しつつ前記ロックレバーを前記ロック位置から移動させロックを解除する力を発生させる解除手段とを具備することを特徴とする。
【００１１】
さらに、本発明のディスク装置は、請求項３に記載されているように、請求項２記載のディスク装置において、前記連結レバーは、前記リセットレバーにより押圧される部分に、該リセットレバーを弾性的に支持する弾性支持部を有することを特徴とする。
【００１２】
本発明のディスク装置によれば、ロックレバーをロック位置に定位させるために連結レバーを吸着手段側に移動させるリセットレバーのリセット動作と、ロックレバーのロック位置への移動とが、可動体の筐体への挿入動作により、同一のロックピンで行われるので、イジェクトロック機構の構成を簡易的なものとすることができる。また、同一のロックピンによりロックレバーとリセットレバーとを動作させられることから互いのレバーを近付けた構造とすることができるので、可動体の筐体からの排出方向のストロークを極力少なくした状態でリセット動作、つまり再ロックを行うことができる。
【００１３】
また、イジェクトロック機構をこのような構造にしたことにより、自己吸着型のソレノイドが利用できるので、部品点数、及びロック解除動作の際の消費電流を低減することができる。さらに、この自己吸着型のソレノイドを用いた場合、設計的に可動片の移動軌跡にオーバーストロークをもたせることとなるが、発生するレバー類の拘束力を弾性支持部を有する連結レバー自身が吸収するので、簡易的な構造のイジェクトロック機構が実現される。
【００１４】
【発明の実施の形態】
以下、本発明を実施する場合の形態について図面に基づき説明する。
【００１５】
図１は本発明を適用した、いわゆるノート型パソコン対応のＤＶＤ−ＲＯＭドライブの全体的な構成を示す斜視図である。
【００１６】
このＤＶＤ−ＲＯＭドライブは、図示しないディスクを駆動および再生するためのディスク駆動・再生機構が搭載された可動体であるドロワ１と、このドロワ１を収納可能な筐体としてのキャビネット２とから構成されている。キャビネット２は上側キャビネットと下側キャビネットから構成されているが、同図では上側キャビネットの図示を省略してある。ドロワ１はキャビネット２に対して矢印Ｙ１−Ｙ２方向に出し入れ自在である。すなわち、キャビネット２の両側内壁にはドロワ１をガイド支持するための断面コの字状のガイドレール３が各々固定されており、これらのガイドレール３に、ドロワ１の両側に設けられたガイド突起４が、スライドレール５を介して各々嵌め込まれた形態で支持されている。
【００１７】
ドロワ１には、ディスクの外形に対応した凹部からなるディスク搭載部６と、ディスクモータ（図示せず）及びターンテーブル７等のディスク駆動機構と、回転するディスクの記録領域にレーザ光を照射してその反射光を取り込むことでディスクからデータを読み出すピックアップ８と、このピックアップ８をディスクの半径方向に搬送する図示しないピックアップ送り機構などが設けられている。以上のディスクを駆動する機構とピックアップ８を支持搬送する機構とは、単一のメカシャーシ９上に搭載されており、このメカシャーシ９は、ドロワ１にダンパーゴム等の防振部材を介してフローティング構造で支持されている。さらに、ドロワ１の排出方向における先端部分には、ディスクの再生時等においてドロワ１のキャビネット２内への収納状態を保持するとともに、ディスクの交換時等にイジェクトボタン１０を押すことによりキャビネット２からドロワ１をイジェクトさせるイジェクトロック機構１１が設けられている。
【００１８】
このイジェクトロック機構１１は、図２に示すように、キャビネット２の底板１２に突設されたロックピン１３と協働することにより、ロック・アンロックを実現するものであり、ドロワ１がキャビネット２内に挿入されたとき、ドロワ１がキャビネット２内に保持されるようロックピン１３と係合するロック位置に回転可能なロックレバー１４と、ドロワ１のキャビネット２内への挿入動作により、ロックピン１３を介して回転させられるリセットレバー１５と、ドロワ１の挿入動作によりリセットレバー１５が動作させられたとき、リセットレバー１５に押圧されて移動し、ロックレバー１４をロック位置に回転させる連結レバーとしてのイジェクトレバー１６と、イジェクトレバー１６を通じてロックレバー１４をロック位置に定位させる力を発生させるとともに、イジェクトボタン１０が押されコイルにパルス電流が供給されたときロックレバー１４をロック位置から回転させロックを解除する力を発生させるための自己吸着型のソレノイド１７と、一端がキャビネット２における底板１２の曲げ１２ａに支持され、他端がドロワ１に組み込まれたメカシャーシ９のボス９ａに支持されていることにより、ドロワ１をキャビネット２内から排出させる方向に付勢するイジェクトバネ１８とから主に構成されている。
【００１９】
ロックレバー１４には、バネ掛部１４ａが設けられており、イジェクトクレバー１６のバネ掛部１６ａに一端が掛けらたロックバネ１９の他端が、このバネ掛部１４ａに掛けられている。ロックレバー１４は、引張バネであるこのロックバネ１９の付勢力により、メカシャーシ９に設けられた支軸９ｂを支点に反時計方向に付勢されており、ロックレバー位置決め部１４ｂが、イジェクトレバー１６のロック解除部１６ｂと当接し位置決めされている。また、ロックレバー１４には、ロックピン１３と接触可能な高さまで底板１２の方向に突出して設けられたロック作用部１４ｃ及びレバーロック部１４ｄが設けられたおり、ロック作用部１４ｃは、ドロワ１がキャビネット２内に挿入されるときロックピン１３を通じてロックレバー１４を時計方向に回転させるものであり、レバーロック部１４ｄは、ロックレバー１４が時計方向に回転した後、さらにドロワ１が挿入されたときロックピン１３と係合する部分である。このロックピン１３とレバーロック部１４ｄとが係合しているときがロックレバー１４がロック位置にある状態であり、イジェクトバネ１８のドロワ１を排出させようとする付勢力とロックバネ１９のロックレバー１４を反時計方向に回転させようとする付勢力との相互作用により、ドロワ１がキャビネット２内に収容された状態でロックが掛かる。
【００２０】
リセットレバー１５には、バネ掛部１５ａが設けられており、メカシャーシ９のバネ掛部９ｃに一端が掛けらた中立バネ２０の他端が、このバネ掛部１５ａに掛けられている。リセットレバー１５は、回転中心となるメカシャーシ９に設けられた支軸９ｄに組み込まれており、引張バネである中立バネ２０の一端は、このリセットレバー１５の回転中心となる支軸９ｄの近傍に掛けられていることから、中立バネ２０の付勢力はリセットレバー１５の回転中心に向かうように働き、リセットレバー１５が回転するモーメントを発生させるようには働かないので、リセットレバー１５は、常に同じ回転姿勢となるよう中立バネ２０により付勢されている。また、リセットレバー１５には、イジェクトレバー１６の樹脂バネ部１６ｃを押圧するリセット突起１５ｂとロックピン１３と接触可能なリセット作用部１５ｃとが設けられており、ドロワ１がキャビネット２内に挿入されるとき、ロックピン１３とリセット作用部１５ｃとが接触し、リセットレバー１５は支軸９ｄを支点に時計方向に回転させられるものとなっている。これによりリセット突起１５ｂは、イジェクトレバー１６の肉逃げされバネ性を有する樹脂バネ部１６ｃを押圧する。
【００２１】
イジェクトレバー１６には、バネ掛部１６ｄが設けられており、メカシャーシ９のバネ掛部９ｅに一端が掛けらた解除バネ２１の他端が、このバネ掛部１６ａに掛けられている。イジェクトレバー１６は、引張バネであるこの解除バネ２１の付勢力により、メカシャーシ９に設けられた支軸９ｆを支点に時計方向に付勢されている。
【００２２】
ソレノイド１７には、マグネット１７ａ、マグネット１７ａを介して磁化されている磁性片１７ｂ、及び鉄芯１７ｃが設けられおり、コイルにパルス電流が通電された時には、鉄芯１７ｃが磁性片１７ｂから離間する。この際、前述したイジェクトレバー１６は、解除バネ２１の付勢力により、時計方向に回転させられる。一方、当該イジェクトレバー１６は、樹脂バネ部１６ｃがリセットレバー１５のリセット突起１５ｂに押圧された時には、支軸９ｆを支点に反時計方向に回転させられ、鉄芯孔１７ｄに挿入されたイジェクト突起１６ｅを通じて鉄芯１７ｃが磁性片１７ｂに吸着されように動作する。
【００２３】
このように構成されたＤＶＤ−ＲＯＭドライブにおいて、実際にドロワ１がキャビネット２内に収容されロックが掛かる場合、及びロックが解除されキャビネット２からドロワ１が排出される場合についてそれぞれ説明する。
【００２４】
まず、ロックが掛かる場合について説明する。ロックが解除されている図３に示す状態において、イジェクトバネ１８の付勢力に抗しつつドロワ１がキャビネット２内に収容される方向に押されると、図２に示すように、リセットレバー１５のリセット作用部１５ｃとロックピン１３とが当接し、リセットレバー１５は、支軸９ｄを支点に時計方向に回転させられる。リセットレバー１５が時計方向に回転させられると、リセット突起１５ｂによりイジェクトレバー１６の樹脂バネ部１６ｃが押圧される。樹脂バネ部１６ｃが押圧されたことにより、イジェクトレバー１６は、解除バネ２１の付勢力に抗しつつ支軸９ｆを支点に反時計方向に回転させられ、鉄芯孔１７ｄと係合しているイジェクト突起１６ｅを通じてソレノイドの鉄芯１７ｃを、マグネット１７ａを介して磁化されてる磁性片１７ｂに当接させる。さらに、磁性片１７ｂに鉄芯１７ｃが確実に吸着するよう磁性片１７ｂの移動軌跡が設計的にオーバーストロークとなっていることから、鉄芯１７ｃの先端と磁性片１７ｂとが当接した後も、しばらくの間、ロックピン１３を通じてリセットレバー１５が時計方向に回転するとともに、イジェクトレバー１６が反時計方向に回転し続けることとなる。この際、このオーバーストロークにより生じるレバー類の拘束力が、イジェクトレバー１６の樹脂バネ部１６ｃにより吸収される。
【００２５】
また、リセットレバー１６が、反時計方向に回転させられたことにより、リセットレバー１６先端のロック解除部１６ｂとロックレバー位置決め部１４ｂとの間が僅かに離間するので、ロックレバー１４は、ロックバネ１９の付勢力により、支軸９ｂを支点に、ロックレバー位置決め部１４ｂとロック解除部１６ｂとが当接する位置まで反時計方向に回転する。
【００２６】
この後、さらにドロワ１がキャビネット２内に収容される方向に押されると、リセットレバー１５のリセット作用部１５ｃ先端がロックピン１３から時計方向に逃げ、ロックピン１３との接触がなくなると、中立バネ２０の付勢力によりリセットレバー１４は反時計方向に回転し初期位置に復帰する。
【００２７】
次いで、ドロワ１がキャビネット２内に収容される方向にさらに押されると、ロックレバー１４のロック作用部１４ｃとロックピン１３とが当接することにより、ロックレバー１４は、支軸９ｂを支点にロックバネ１９の付勢力に抗しつつ時計方向に回転させられる。さらに、ドロワ１がキャビネット２内に収容される方向に押されると、ロック作用部１４ｃの先端がロックピン１３から時計方向に逃げ、ロックレバー１４はロックバネ１９の付勢力により反時計方向に回転させられ、これにより、図４に示すように、レバーロック部１４ｄとロックピン１３とが係合するとともに、イジェクトバネ１８のドロワ１を排出させようとする付勢力とロックバネ１９のロックレバー１４を反時計方向に回転させようとする付勢力との相互作用により、ドロワ１がキャビネット２内に収容された状態でロックが掛かる。
【００２８】
このように、同一のロックピン１３を用いて、リセットレバー１５によるイジェクトレバー１６のリセット動作（ソレノイド１７の吸着動作）と、ロックレバー１４によるロック動作とを行うようにしたので、イジェクトロック機構の構成が簡易的なものとなる。また、これにより、リセットレバー１５のリセット作用部１５ｃとロックレバー１４のレバーロック部１４ｄとを近付けた構造としたので、ドロワ１の排出方向のストロークを極力少なくしても再ロックを行うことが可能となる。また、このようなイジェクトロック機構に構成したので、自己吸着型のソレノイドが採用できるようになり、消費電流の低減が可能となった。さらに、鉄芯１７ｃのオーバーストロークから発生するレバー類の拘束力を吸収する樹脂バネ部１６ｃをイジェクトレバー１６に設けたので、他の部品の追加の必要性がなくなることは無論、オーバーストロークを吸収する機構が簡易的なものとなった。
【００２９】
次に、イジェクトロック機構によるロックが解除されキャビネット２からドロワ１が排出される場合についてそれぞれ説明する。
【００３０】
まず、ロックが掛かっている図４に示す状態において、例えばユーザによりイジェクトボタン１０が押され、ソレノイド１７のコイルにパルス電流が流れると、図２に示すように、鉄芯１７ｃがマグネット１７ａにより磁化されている磁性片１７ｂから離間する方向に僅かに移動する。鉄芯１７ｃが磁性片１７ｂから離間したことにより、イジェクトレバー１６は、解除バネ２１の付勢力により、支軸９ｆを支点に時計方向に僅かに回転させられる。これにより、図３に示すように、イジェクトレバー１６のロック解除部１６ｂは、ロックレバー１４のロックレバー位置決め部１４ｂを押圧し、ロックレバー１４は、支軸９ｂを支点に時計方向に回転させられる。ロックレバー１４が時計方向に回転させられると、ロックピン１３とレバーロック部１４ｄとの係合、すなわちロックが外れる。
【００３１】
これにより、イジェクトバネ１８の付勢力により、さらにドロワ１は、キャビネット２に対し、ドロワ１が所定の位置まで排出される。この際、イジェクトバネ１８の付勢力によりキャビネット２から排出されたドロワ１の位置は、キャビネット２内へのドロワ１の押し込み動作によりロックピン１３を通じてリセットレバー１５を時計方向に回転させることが可能な位置、すなわち再度、ドロワ１をキャビネット２内に収容してロックすることが可能な位置である。
【００３２】
このように、本実施形態によれば、ロックレバー１４をロック位置に定位させるためにイジェクトレバー１６をソレノイド側に移動させるリセットレバー１５のリセット動作と、ロックレバー１４が回転させられてロック位置へ移動する動作とが、ドロワ１のキャビネット２への挿入動作により、同一のロックピン１３で行われるので、イジェクトロック機構の構成を簡易的なものとすることができる。また、同一のロックピン１３によりロックレバー１４とリセットレバー１５とを動作させられることから互いのレバーを近付けた構造とすることができるので、ドロワ１のキャビネット２からの排出方向のストロークを極力少なくした状態でリセット動作、つまり再ロックを行うことができる。
【００３３】
また、イジェクトロック機構をこのような構造にしたことにより、自己吸着型のソレノイド１７が利用できるので、部品点数、及びロック解除動作の際の消費電流を低減することができる。さらに、この自己吸着型のソレノイド１７を用いた場合、設計的に鉄芯１７ｃの移動軌跡にオーバーストロークをもたせることとなるが、発生するレバー類の拘束力を樹脂バネ部１６ｃを有するイジェクトレバー１６自身が吸収するので、簡易的な構造のイジェクトロック機構が実現される。
【００３４】
【発明の効果】
以上説明したように、本発明のディスク装置によれば、ロックレバーをロック位置に定位させるために連結レバーを吸着手段側に移動させるリセットレバーのリセット動作と、ロックレバーのロック位置への移動とが、可動体の筐体への挿入動作により、同一のロックピンで行われるので、イジェクトロック機構の構成を簡易的なものとすることができる。また、同一のロックピンによりロックレバーとリセットレバーとを動作させられることから互いのレバーを近付けた構造とすることができるので、可動体の筐体からの排出方向のストロークを極力少なくした状態でリセット動作、つまり再ロックを行うことができる。
【００３５】
また、イジェクトロック機構をこのような構造にしたことにより、自己吸着型のソレノイドが利用できるので、部品点数、及びロック解除動作の際の消費電流を低減することができる。さらに、この自己吸着型のソレノイドを用いた場合、設計的に可動片の移動軌跡にオーバーストロークをもたせることとなるが、発生するレバー類の拘束力を弾性支持部を有する連結レバー自身が吸収するので、簡易的な構造のイジェクトロック機構が実現される。
【図面の簡単な説明】
【図１】本発明の実施形態にかかるＤＶＤ−ＲＯＭドライブの構成を示す斜視図
【図２】図１のＤＶＤ−ＲＯＭドライブにおいて、イジェクトボタンが押された瞬間の状態を示す詳細図
【図３】図１のＤＶＤ−ＲＯＭドライブにおいて、キャビネットからドロワが排出された状態を示す詳細図
【図４】従来のＤＶＤ−ＲＯＭドライブにおいて、キャビネット内にドロワが収容された状態を示す詳細図
【図５】従来のＤＶＤ−ＲＯＭドライブを概略的に示す斜視図
【符号の説明】
１……ドロワ
２……キャビネット
１０……イジェクトボタン
１１……イジェクトロック機構
１３……ロックピン
１４……ロックレバー
１４ｃ……ロック作用部
１４ｄ……レバーロック部
１５……リセットレバー
１５ｂ……リセット突起
１５ｃ……リセット作用部
１６……イジェクトレバー
１６ｃ……樹脂バネ部
１７……ソレノイド
１７ａ……マグネット
１８……イジェクトバネ
１９……ロックバネ
２０……中立バネ
２１……解除バネ
【図１】
0003741865.tif 000002
【図２】
0003741865.tif 000003
【図３】
0003741865.tif 000004
【図４】
0003741865.tif 000005
【図５】
0003741865.tif 000006